(57)【要約】【課題】画像がプリントされた記録媒体を、プリントされる画像が表された被読取媒体の複製物として利用するに際し、利用しやすい態様で画像をプリント可能な画像形成装置および画像形成装置を制御するためのコンピュータプログラムを提供することを目的とする。【解決手段】載置台にセットされた原稿の一方の面に表された画像を読み取り、この画像を示す画像データを形成し（Ｓ１０２）、他方の面に表された画像を読み取り、この画像を示す画像データを形成し（Ｓ１０４）、Ｓ１０２で形成された画像の外縁を形成するいずれかの辺と、Ｓ１０４で形成された画像の外縁を形成するいずれかの辺とが、一致した一致状態または平行でかつ近接して隣り合った近接状態で、Ｓ１０２およびＳ１０４の両画像データを合成した合成画像データを形成し（Ｓ１２０，Ｓ１２６，Ｓ１３２）、合成画像データをプリントする（Ｓ１３６）。【選択図】図２
2011061635.tif 000002
【特許請求の範囲】
【請求項１】
載置台にセットされた第１被読取媒体に表された第１画像を読取センサによって読み取り、前記第１画像を示す第１画像データを形成し、前記載置台にセットされた第２被読取媒体に表された第２画像を前記読取センサによって読み取り、前記第２画像を示す第２画像データを形成可能なスキャナ手段と、
前記第１画像の外縁を形成する四辺のいずれかの辺である第１辺と、前記第２画像の外縁を形成する四辺のいずれかの辺である第２辺とが、一致した一致状態または平行でかつ近接して隣り合った近接状態で、前記第１画像と前記第２画像とを合成した合成画像を示す合成画像データを、前記第１画像データと前記第２画像データとを用いて形成する画像データ合成手段と、
前記合成画像データによって示される前記合成画像を、記録媒体にプリントするプリント手段とを備えることを特徴とする画像形成装置。
【請求項２】
前記第２画像は上下の方向性を有し、
前記スキャナ手段によって形成された前記第２画像データによって示される前記第２画像の上下の向きについて判断する第１判断手段と、
前記第１判断手段によって前記第２画像の上下の向きが反転していると判断された場合、前記第２画像の上下の向きを反転させる処理を、前記第２画像データに対して行う上下反転手段とを備え、
前記画像データ合成手段は、前記合成画像データの形成に、前記上下反転手段によって前記第２画像の上下の向きが反転された前記第２画像データを用いることを特徴とする請求項１に記載の画像形成装置。
【請求項３】
前記第２画像は文字を含み、
前記第１判断手段は、前記第２画像データに対して文字認識処理を実行し、前記文字認識処理で認識された文字の向きにしたがい、前記第２画像データによって示される前記第２画像の上下の向きについて判断することを特徴とする請求項２に記載の画像形成装置。
【請求項４】
前記合成画像の第１軸方向のサイズに相当する合成画像サイズと、前記記録媒体の有効プリント領域の前記第１軸方向のプリント領域サイズとを比較する比較手段を備え、
前記画像データ合成手段は、一の第１辺と、一の第２辺とが、前記一致状態または前記近接状態で合成された一の合成画像について、
前記比較手段によって、前記合成画像サイズが前記プリント領域サイズより小さいと判断された場合、前記一の合成画像を示す一の合成画像データを形成し、
前記比較手段によって、前記合成画像サイズが前記プリント領域サイズより大きいと判断された場合、前記一の第１辺に直角な他の第１辺と、前記一の第２辺に直角な他の第２辺とが、前記一致状態または前記近接状態で合成された他の合成画像を示す他の合成画像データを形成することを特徴とする請求項１から請求項３のいずれか１項に記載の画像形成装置。
【請求項５】
前記第１画像データと前記第２画像データとの画像サイズが異なる場合、前記第１辺のサイズと前記第２辺のサイズとを略同一とする処理を、前記第２画像データに対して行う拡大縮小手段を備え、
前記画像データ合成手段は、前記合成画像データの形成に、前記拡大縮小手段によって拡大または縮小された前記第２画像データを用いることを特徴とする請求項１から請求項４のいずれか１項に記載の画像形成装置。
【請求項６】
前記第１画像および前記第２画像は、それぞれ方向性を有し、
前記画像データ合成手段は、前記プリント手段によって前記合成画像が記録媒体にプリントされた状態で、前記合成画像を前記第１辺と前記第２辺とに一致する直線部または平行な直線部で２つ折りにした場合、前記合成画像の一部を形成する前記第１画像の向きと、前記合成画像の他の一部を形成する前記第２画像の向きとが一致するように、前記第１画像の外縁を形成する四辺の中から前記第１辺を特定し、前記第２画像の外縁を形成する四辺の中から前記第２辺を特定することを特徴とする請求項１から請求項５のいずれか１項に記載の画像形成装置。
【請求項７】
前記スキャナ手段は、前記読取センサを一の方向に移動させて前記第１画像を読み取り、前記読取センサを前記一の方向に移動させて前記第２画像を読み取るものであって、
前記載置台に、前記一の方向に垂直な他の方向に並べてセットされた第一の第１被読取媒体と第二の第１被読取媒体とを、前記スキャナ手段が、前記読取センサを前記一の方向に移動させて、前記第一の第１被読取媒体に表された第一の第１画像と、前記第二の第１被読取媒体に表された第二の第１画像とを読み取り、前記第一の第１画像を示す第一の第１画像データと、前記第二の第１画像を示す第二の第１画像データとを形成した状態で、前記載置台に、前記他の方向に並べてセットされた第一の第２被読取媒体と第二の第２被読取媒体とを、前記スキャナ手段が、前記読取センサを前記一の方向に移動させて、前記第一の第２被読取媒体に表された第一の第２画像と、前記第二の第２被読取媒体に表された第二の第２画像とを読み取り、前記第一の第２画像を示す第一の第２画像データと、前記第二の第２画像を示す第二の第２画像データとを形成した場合、
前記画像データ合成手段は、前記第一の第１画像データの前記他の方向についての座標情報と、前記第二の第１画像データの前記座標情報と、前記第一の第２画像データの前記座標情報と、前記第二の第２画像データの前記座標情報とにしたがって、前記第一の第１画像データまたは前記第二の第１画像データと、前記第一の第２画像データまたは前記第二の第２画像データとの組合せを決定し、決定した前記組合せを構成する前記第１画像データと前記第２画像データとを用いて、第一の合成画像データと第二の合成画像データとを形成することを特徴とする請求項１から請求項６のいずれか１項に記載の画像形成装置。
【請求項８】
被読取媒体に表された画像を読み取り、前記画像を示す画像データを形成するスキャナ手段と、所定のデータによって示される所定の画像を、記録媒体にプリントするプリント手段とを備える画像形成装置を制御するコンピュータが読み取り可能なコンピュータプログラムであって、
前記コンピュータを、
前記スキャナ手段で形成された、第１画像を示す第１画像データと第２画像を示す第２画像データとを取得する画像データ取得手段と、
前記第１画像の外縁を形成する四辺のいずれかの辺である第１辺と、前記第２画像の外周を形成する四辺のいずれかの辺である第２辺とが、一致した一致状態または平行でかつ近接して隣り合った近接状態で、前記第１画像と前記第２画像とを合成した合成画像を示す合成画像データを、前記第１画像データと前記第２画像データとを用いて形成する画像データ合成手段と、
前記合成画像データによって示される前記合成画像のプリントを、前記画像形成装置に指令するプリント指令手段として機能させるためのコンピュータプログラム。
【発明の詳細な説明】
【技術分野】
【０００１】
本発明は、スキャナ機能とプリント機能とを有する画像形成装置に関するものである。
【背景技術】
【０００２】
従来から、種々の機能を備えた画像形成装置が提案されている。例えば、免許証やタイムカードなど、各種カードの表裏を別々にスキャンして１枚の用紙に並べてコピーすることができる複合機が提案されている（例えば、非特許文献１参照）。
【０００３】
なお、複数のディジタル画像を予め定められたページフォーマットに組織するためのシステム、ソフトウェア製品および方法が提案されており、これによれば、ディジタル画像は、複数の異なるページレイアウトにまとめられ、ページレイアウトは予め定められた基準に従って分析され、予め定められた基準に基づいてページレイアウトが選択される。また、拡大縮小され、所定量回転される。（例えば、特許文献１参照）。
【先行技術文献】
【特許文献】
【０００４】
【特許文献１】特表２００３−５３２２０５号公報
【非特許文献】
【０００５】
【非特許文献１】シャープドキュメントシステム株式会社、シャープオフィスレンタル株式会社、“カードスキャン（コピー機能）”、[online]、［平成21年7月16日検索］、インターネット〈http://www.sharp-ds.com/14product_info/01copy/c_004.html〉
【発明の概要】
【発明が解決しようとする課題】
【０００６】
例えば、非特許文献１の構成によれば、２つの画像、具体的には、一の被読取媒体に表された画像（例えば、表面に表された画像）と、他の被読取媒体に表された画像（裏面に表された画像）とを、それぞれ記録媒体の片面にプリントすることができる。非特許文献１の構成は、例えば、運転免許証のようなＩＤカードの複写物の提出を、所定の機関から求められた場合、２つの画像を１枚の記録媒体の片面に含めてプリント（記録）することが可能で、この点において有効であると思われる。
【０００７】
しかし、非特許文献１のような構成を有するのみでは、不十分であると考えられる場合がある。例えば、２つの画像がプリントされた記録媒体を、被読取媒体の複製物として利用したいと考えた場合、非特許文献１のような手法では、２つの画像を、それぞれの外縁で切り取り、非プリント面を張り合わせるといった作業が必要になる。
【０００８】
本発明は、画像がプリントされた記録媒体を、プリントされる画像が表された被読取媒体の複製物として利用するに際し、利用しやすい態様で画像をプリント可能な画像形成装置および画像形成装置を制御するためのコンピュータプログラムを提供することを目的とする。
【課題を解決するための手段】
【０００９】
上記従来の課題に鑑みなされた本発明は、第１画像データによって示される第１画像の外縁を形成するいずれかの辺である第１辺と、第２画像データによって示される第２画像の外縁を形成するいずれかの第２辺とが、一致しまたは平行でかつ近接して隣り合った状態で、第１画像と第２画像とを合成した合成画像を示す合成画像データを形成し、これをプリント（記録）することとしたものである。
【００１０】
本発明を反映した第１の課題解決手段は、載置台にセットされた第１被読取媒体に表された第１画像を読取センサによって読み取り、前記第１画像を示す第１画像データを形成し、前記載置台にセットされた第２被読取媒体に表された第２画像を前記読取センサによって読み取り、前記第２画像を示す第２画像データを形成可能なスキャナ手段と、前記第１画像の外縁を形成する四辺のいずれかの辺である第１辺と、前記第２画像の外縁を形成する四辺のいずれかの辺である第２辺とが、一致した一致状態または平行でかつ近接して隣り合った近接状態で、前記第１画像と前記第２画像とを合成した合成画像を示す合成画像データを、前記第１画像データと前記第２画像データとを用いて形成する画像データ合成手段と、前記合成画像データによって示される前記合成画像を、記録媒体にプリントするプリント手段とを備えることを特徴とする画像形成装置である。
【００１１】
これによれば、スキャナ手段によって形成された、第１画像データによって示される第１画像と第２画像データによって示される第２画像とが、一致状態または近接状態で配置された合成画像をプリント手段で記録媒体にプリントすることができる。なお、第１被読取媒体と第２被読取媒体とは、物理的に分離した２つの読取媒体である場合の他、１つの読取媒体の表面と裏面として構成されていてもよい。
【００１２】
第２の課題解決手段は、第１の課題解決手段の画像形成装置であって、前記第２画像は上下の方向性を有し、前記スキャナ手段によって形成された前記第２画像データによって示される前記第２画像の上下の向きについて判断する第１判断手段と、前記第１判断手段によって前記第２画像の上下の向きが反転していると判断された場合、前記第２画像の上下の向きを反転させる処理を、前記第２画像データに対して行う上下反転手段とを備え、前記画像データ合成手段は、前記合成画像データの形成に、前記上下反転手段によって前記第２画像の上下の向きが反転された前記第２画像データを用いることを特徴とする。これによれば、上下の方向性が適切な第２画像を示す第２画像データによって合成画像データを形成することができる。
【００１３】
第３の課題解決手段は、第２の課題解決手段の画像形成装置であって、前記第２画像は文字を含み、前記第１判断手段は、前記第２画像データに対して文字認識処理を実行し、前記文字認識処理で認識された文字の向きにしたがい、前記第２画像データによって示される前記第２画像の上下の向きについて判断することを特徴とする。これによれば、文字によって上下の向きを判断することができる。
【００１４】
第４の課題解決手段は、第１から第３の課題解決手段のいずれか１つの画像形成装置であって、前記合成画像の第１軸方向のサイズに相当する合成画像サイズと、前記記録媒体の有効プリント領域の前記第１軸方向のプリント領域サイズとを比較する比較手段を備え、前記画像データ合成手段は、一の第１辺と、一の第２辺とが、前記一致状態または前記近接状態で合成された一の合成画像について、前記比較手段によって、前記合成画像サイズが前記プリント領域サイズより小さいと判断された場合、前記一の合成画像を示す一の合成画像データを形成し、前記比較手段によって、前記合成画像サイズが前記プリント領域サイズより大きいと判断された場合、前記一の第１辺に直角な他の第１辺と、前記一の第２辺に直角な他の第２辺とが、前記一致状態または前記近接状態で合成された他の合成画像を示す他の合成画像データを形成することを特徴とする。これによれば、合成画像を有効プリント領域に好適に配置することができる。
【００１５】
第５の課題解決手段は、第１から第４の課題解決手段のいずれか１つの画像形成装置であって、前記第１画像データと前記第２画像データとの画像サイズが異なる場合、前記第１辺のサイズと前記第２辺のサイズとを略同一とする処理を、前記第２画像データに対して行う拡大縮小手段を備え、前記画像データ合成手段は、前記合成画像データの形成に、前記拡大縮小手段によって拡大または縮小された前記第２画像データを用いることを特徴とする。これによれば、第１辺のサイズと第２辺のサイズとが同一の合成画像データを形成することができる。
【００１６】
第６の課題解決手段は、第１から第５の課題解決手段のいずれか１つの画像形成装置であって、前記第１画像および前記第２画像は、それぞれ方向性を有し、前記画像データ合成手段は、前記プリント手段によって前記合成画像が記録媒体にプリントされた状態で、前記合成画像を前記第１辺と前記第２辺とに一致する直線部または平行な直線部で２つ折りにした場合、前記合成画像の一部を形成する前記第１画像の向きと、前記合成画像の他の一部を形成する前記第２画像の向きとが一致するように、前記第１画像の外縁を形成する四辺の中から前記第１辺を特定し、前記第２画像の外縁を形成する四辺の中から前記第２辺を特定することを特徴とする。これによれば、合成画像を直線部で２つ折りにした場合、第１画像の向きと第２画像の向きとを一致させることができる。
【００１７】
第７の課題解決手段は、第１から第６の課題解決手段のいずれか１つの画像形成装置であって、前記スキャナ手段は、前記読取センサを一の方向に移動させて前記第１画像を読み取り、前記読取センサを前記一の方向に移動させて前記第２画像を読み取るものであって、前記載置台に、前記一の方向に垂直な他の方向に並べてセットされた第一の第１被読取媒体と第二の第１被読取媒体とを、前記スキャナ手段が、前記読取センサを前記一の方向に移動させて、前記第一の第１被読取媒体に表された第一の第１画像と、前記第二の第１被読取媒体に表された第二の第１画像とを読み取り、前記第一の第１画像を示す第一の第１画像データと、前記第二の第１画像を示す第二の第１画像データとを形成した状態で、前記載置台に、前記他の方向に並べてセットされた第一の第２被読取媒体と第二の第２被読取媒体とを、前記スキャナ手段が、前記読取センサを前記一の方向に移動させて、前記第一の第２被読取媒体に表された第一の第２画像と、前記第二の第２被読取媒体に表された第二の第２画像とを読み取り、前記第一の第２画像を示す第一の第２画像データと、前記第二の第２画像を示す第二の第２画像データとを形成した場合、前記画像データ合成手段は、前記第一の第１画像データの前記他の方向についての座標情報と、前記第二の第１画像データの前記座標情報と、前記第一の第２画像データの前記座標情報と、前記第二の第２画像データの前記座標情報とにしたがって、前記第一の第１画像データまたは前記第二の第１画像データと、前記第一の第２画像データまたは前記第二の第２画像データとの組合せを決定し、決定した前記組合せを構成する前記第１画像データと前記第２画像データとを用いて、第一の合成画像データと第二の合成画像データとを形成することを特徴とする。これによれば、効率よくかつ好適に合成画像データを形成することができる。
【００１８】
第８の課題解決手段は、被読取媒体に表された画像を読み取り、前記画像を示す画像データを形成するスキャナ手段と、所定のデータによって示される所定の画像を、記録媒体にプリントするプリント手段とを備える画像形成装置を制御するコンピュータが読み取り可能なコンピュータプログラムであって、前記コンピュータを、前記スキャナ手段で形成された、第１画像を示す第１画像データと第２画像を示す第２画像データとを取得する画像データ取得手段と、前記第１画像の外縁を形成する四辺のいずれかの辺である第１辺と、前記第２画像の外周を形成する四辺のいずれかの辺である第２辺とが、一致した一致状態または平行でかつ近接して隣り合った近接状態で、前記第１画像と前記第２画像とを合成した合成画像を示す合成画像データを、前記第１画像データと前記第２画像データとを用いて形成する画像データ合成手段と、前記合成画像データによって示される前記合成画像のプリントを、前記画像形成装置に指令するプリント指令手段として機能させるためのコンピュータプログラムである。これによれば、第１画像データと第２画像データとの合成をコンピュータに実行させることができる。
【発明の効果】
【００１９】
本発明によれば、画像がプリントされた記録媒体を、プリントされる画像が表された被読取媒体の複製物として利用するに際し、利用しやすい態様で画像をプリント可能な画像形成装置および画像形成装置を制御するためのコンピュータプログラムを得ることができる。
【図面の簡単な説明】
【００２０】
【図１】画像形成システムの構成、および、画像形成システムに含まれる画像形成装置とコンピュータとの機能ブロックを示す図である。
【図２】合成画像プリント処理のフローチャートを示す図である。
【図３】（ａ），（ｂ）は、スキャナ部の載置台への原稿のセット状態を示す図であり、（ｃ）は図３（ａ）のＫ−Ｋ断面である。
【図４】２つの画像が一致状態および近接状態で合成された合成画像データを示す図である。
【図５】プリント処理のフローチャートを示す図である。
【発明を実施するための形態】
【００２１】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。例えば、以下に説明する構成において、所定の構成を省略することができる。また、以下に説明する処理において、所定のステップを省略することができる。
【００２２】
（画像形成システム）
画像形成システム１００について、図１を参照して説明する。画像形成システム１００は、画像形成装置２００とコンピュータ３００とを含む。画像形成装置２００とコンピュータ３００とは、ＬＡＮなどのネットワーク５００を介して通信可能に接続されている。なお、両装置の接続形態はネットワーク５００に限られるものではなく、例えばＵＳＢ接続とすることもできる。なお、コンピュータ３００は、画像形成装置２００に対して、所定の処理の実行を指令可能な装置である。
【００２３】
画像形成装置２００は、ＣＰＵ２１０とＲＯＭ２２０とＲＡＭ２３０とスキャナ部２４０とプリント部２５０とネットワークインターフェース（ネットワークＩ／Ｆ）２６０とユーザインターフェース（ユーザＩ／Ｆ）２７０とを備える。ＣＰＵ２１０は、画像形成装置２００の制御を司り、以下に説明する合成画像プリント処理などを実行する。ＲＯＭ２２０は、ＣＰＵ２１０によって実行される合成画像プリント処理を含む各種処理のためのプログラムを記憶する。ＲＡＭ２３０は、記憶領域として機能する。ＣＰＵ２１０が、ＲＯＭ２２０に記憶されたプログラムをＲＡＭ２３０上で実行することで、各種の機能手段が構成される。
【００２４】
スキャナ部２４０は、載置台２４２と読取センサ２４４とを備える（図３参照）。載置台２４２には、スキャンの対象となる原稿２８０がセットされる。読取センサ２４４は、載置台２４２にセットされた原稿２８０の一方の面（被読取媒体）に表された画像を読み取る。読取センサ２４４は、画像の読み取りに際し副走査方向（ｘ）（図３参照）に移動する。
【００２５】
プリント部２５０は、例えばインクジェット方式のプリント部であって、記録ヘッドを所定の方向に往復移動させるとともに、記録ヘッドの移動方向に垂直な方向に記録紙（記録媒体）を搬送して所定の画像をプリントする。例えば、スキャナ部２４０で読み取られた画像をプリントすることもできる（コピー機能）。ネットワークＩ／Ｆ２６０は、ネットワーク５００を介した通信を実行する。例えば画像形成装置２００は、ネットワークＩ／Ｆ２６０を介してコンピュータ３００と通信する。ユーザインターフェース（ユーザＩ／Ｆ）２７０は、例えばテンキーボードとモニタとにより構成され、ユーザからの指令の入力を受け付け、所定の情報を表示する。
【００２６】
コンピュータ３００は、従来から広く利用されているパーソナルコンピュータに相当する装置であり、ＣＰＵ３１０とＲＯＭ３２０とＲＡＭ３３０と記憶部（例えば、ハードディスクまたはＳＳＤ（Solid State Drive）で構成）３４０とネットワークＩ／Ｆ３５０と操作部（例えば、キーボードおよびマウス）３６０とモニタ３７０とを備える。記憶部３４０には、画像形成装置２００を制御するためのコンピュータプログラム３４２が記憶されている。コンピュータプログラム３４２としては、画像形装置２００を制御するドライバプログラムが例示される。
【００２７】
ＣＰＵ３１０が、例えば記憶部３４０に記憶されたコンピュータプログラムを、ＲＡＭ２３０上で実行することで、各種の機能手段が構成される。コンピュータ３００は、ネットワークＩ／Ｆ３５０を介して画像形成装置２００と通信する。なお、コンピュータ３００についての詳細は省略する。
【００２８】
（画像形成装置側処理）
以下、画像形成装置２００で実行される合成画像プリント処理と、この合成画像プリント処理の中で実行されるプリント処理について説明する。なお、これら処理は、画像形成装置２００のＣＰＵ２１０が、これら処理のためのプログラムを実行することで行われる。
【００２９】
（合成画像プリント処理）
合成画像プリント処理について、図２〜図４を参照して説明する。なお、図３（ａ），（ｂ）は、画像形成装置２００の上面から視認したときの状態を示す図（平面図）であり、図３（ｃ）は、図３（ａ）のＫ−Ｋ断面である。なお、図３（ｃ）で２点鎖線で示す読取センサ２４４は、移動途中の読取センサ２４４を示すものである。図４に示す「Ｘｂ，Ｙｂ」は一方の面２８２に表された画像を示す画像データ２８４の画像サイズ（ｘ方向のサイズとｙ方向のサイズ）を示し、「Ｘａ，Ｙａ」は他方の面２８６に表された画像を示す画像データ２８８の画像サイズ（ｘ方向のサイズとｙ方向のサイズ）を示すものであって、画像データ２８４，２８８によって示される画像自体を構成するものではない。
【００３０】
この合成画像プリント処理は、ユーザがユーザＩ／Ｆ２７０を介して、この処理の開始指令を入力した場合に開始される。利用者は、開始指令の入力に先立ち、載置台２４２に少なくとも１枚の原稿２８０をセットする。例えば、ユーザは、載置台２４２に、３枚の原稿２８０Ａ，２８０Ｂ，２８０Ｃ（複数の原稿を識別しない場合、「原稿２８０」という）を副走査方向（ｘ）に垂直な主走査方向（ｙ）に並べてセットする。原稿２８０としては、図３（ａ），（ｂ）に示すような運転免許証などのＩＤカードが例示される。また、ユーザは、後述するプリント処理（Ｓ１３６参照）で用いる記録紙のサイズを設定する。例えば、ユーザは、記録紙のサイズを「Ａ４」に設定する。
【００３１】
この処理を開始したＣＰＵ２１０は、この合成画像プリント処理に用いる変数を初期化する（Ｓ１００）。そして、ＣＰＵ２１０は、スキャナ部２４０によるスキャンを実行する（Ｓ１０２）。スキャナ部２４０では、読取センサ２４４が副走査方向（ｘ）へ移動し、読取センサ２４４に対向して載置台２４２にセットされた原稿２８０の一方の面（表面）２８２に表された画像が読み取られる（図３（ａ），（ｃ）参照）。ＣＰＵ２１０は、読取センサ２４４によって読み取られた原稿２８０の個数（Ｎ）と、原稿２８０それぞれの４隅の座標（座標情報）（x,y）とを検出する。また、ＣＰＵ２１０は、読取センサ２４４によって読み取られた画像を示す画像データ２８４を形成する。例えば、図３（ａ）の状態である場合、ＣＰＵ２１０は、原稿２８０の個数「３」と、原稿２８０Ａ，２８０Ｂ，２８０Ｃの４隅の座標（図３（ａ）に記載の各座標参照）とを検出する。また、ＣＰＵ２１０は、原稿２８０Ａ，２８０Ｂ，２８０Ｃの一方の面２８２Ａ，２８２Ｂ，２８２Ｃに表された画像を示す画像データ２８４Ａ，２８４Ｂ，２８４Ｃをそれぞれ形成する。
【００３２】
なお、Ｓ１０２を実行した後、ＣＰＵ２１０は、ユーザＩ／Ｆ２７０に、載置台２４２に現在セットされている原稿２８０を裏返す旨のメッセージを表示する。ＣＰＵ２１０は、この表示に応じユーザが原稿２８０を裏返し、ユーザＩ／Ｆ２７０に対してこの処理の再開指令を入力するまで待機する。
【００３３】
再開指令が入力された場合、ＣＰＵ２１０は、スキャナ部２４０によるスキャンを実行する（Ｓ１０４）。スキャナ部２４０では、上記同様に、読取センサ２４４に対向して載置台２４２にセットされた原稿２８０の他方の面（裏面）２８６に表された画像が読み取られる（図３（ｂ）参照）。ＣＰＵ２１０は、読取センサ２４４によって読み取られた原稿２８０の個数（ｎ）と、原稿２８０それぞれの４隅の座標（座標情報）（x',y'）とを検出する。また、ＣＰＵ２１０は、読取センサ２４４によって読み取られた画像を示す画像データ２８８を形成する。例えば、図３の状態である場合、ＣＰＵ２１０は、原稿２８０の個数「３」と、原稿２８０Ａ，２８０Ｂ，２８０Ｃの４隅の座標（図３（ｂ）に記載の各座標参照）とを検出する。また、ＣＰＵ２１０は、原稿２８０Ａ，２８０Ｂ，２８０Ｃの他方の面２８６Ａ，２８６Ｂ，２８６Ｃに表された画像を示す画像データ２８８Ａ，２８８Ｂ，２８８Ｃをそれぞれ形成する。
【００３４】
ＣＰＵ２１０は、Ｓ１０２およびＳ１０４で形成された画像データ２８４Ａ，２８４Ｂ，２８４Ｃ，２８８Ａ，２８８Ｂ，２８８Ｃそれぞれに対し、文字認識処理を実行する（Ｓ１０６）。Ｓ１０６でＣＰＵ２１０は、認識された文字の上下が反転している画像データ２８４，２８８を対象として、文字の向きを上向きとする上下反転処理を実行する。図３（ｂ）を例とすれば、原稿２８０Ｂは、Ｓ１０２実行後、Ｓ１０４実行前にユーザが行った原稿２８０Ｂの裏返しに際し、その向きが上下反転した状態でセットされているため、他方の面２８６Ｂに表された画像を示す画像データ２８８Ｂを対象として、ＣＰＵ２１０は上下が反転するように上下反転処理を実行する。これにより、画像データ２８８Ｂは、文字が上向きとなる画像データに変換される。なお、文字認識処理の結果、上下反転処理の対象となる画像データ２８４，２８８がない場合、ＣＰＵ２１０は、上下反転処理を実行しない。
【００３５】
Ｓ１０６を実行したＣＰＵ２１０は、画像データ２８４，２８８の順序を並べ替える処理（並替処理）を実行する（Ｓ１０８）。例えば図３（ａ）に示すような態様、すなわち、原稿２８０Ａ，２８０Ｂ，２８０Ｃは、副走査方向（ｘ）を基準としたとき、この方向にずれて配置された状態で、読取センサ２４４による読み取りが行われた場合、ＣＰＵ２１０は、最初に検出される原稿２８０Ａの一方の面２８２Ａに表された画像を示す画像データ２８４Ａを、ＲＡＭ２３０の所定領域の先頭部分に記憶し、２番目に検出される一方の面２８２Ｂに表された画像を示す画像データ２８４Ｂを画像データ２８４Ａの次に記憶し、３番目に検出される一方の面２８２Ｃに表された画像を示す画像データ２８４Ｃを画像データ２８４の次に記憶する。同様に、ＣＰＵ２１０は、図３（ｂ）に示すような態様で、原稿２８０Ａ，２８０Ｂ，２８０Ｃが載置台２４２にセットされている場合、画像データ２８８Ｃを、ＲＡＭ２３０の他の所定領域の先頭部分に記憶し、次に画像データ２８８Ｂを記憶し、最後に画像データ２８８Ａを記憶する。
【００３６】
Ｓ１０８でＣＰＵ２１０は、ＲＡＭ２３０の所定の領域での画像データ２８４Ａ，２８４Ｂ，２８４Ｃの記憶の順（符号の順は記憶の順を示す）と、他の所定の領域での画像データ２８８Ｃ，２８８Ｂ，２８８Ａの記憶の順（符号の順は記憶の順を示す）とを、例えば、原点Ｏからの距離が短い座標情報のｙ，ｙ’値の大きさを基準として、小さいものから大きい順に並び替える。
【００３７】
具体的に説明すると、画像データ２８４Ａ（y_11），２８４Ｂ（y_21），２８４Ｃ（y_31）（ｙ値それぞれについては図３（ａ）参照）では、ｙ値の大きさは、「y_11＜y_21＜y_31」であるから、既に、画像データ２８４Ａ，２８４Ｂ，２８４Ｃは、小さいものから大きい順で記憶されている。したがって、画像データ２８４Ａ，２８４Ｂ，２８４Ｃでは並べ替えは行われない。これに対し、画像データ２８８Ｃ（y'_31），２８８Ｂ（y'_21），２８８Ａ（y'_11）（ｙ値それぞれについては図３（ｂ）参照）では、「y'_31＞y'_21＞y'_11」であるから、画像データ２８８Ｃと画像データ２８８Ａとの順が並び替えられ、他の所定の記憶領域の先頭部分から画像データ２８８Ａ，２８８Ｂ，２８８Ｃの順とされる。
【００３８】
Ｓ１０８を実行したＣＰＵ２１０は、Ｓ１０２で取得した原稿２８０の個数（Ｎ）と、Ｓ１０４で取得した原稿２８０の個数（ｎ）とについて判断、具体的には、両者が一致するか否かを判断する（Ｓ１１０）。判断の結果、個数（Ｎ）と個数（ｎ）とが一致しない場合（Ｓ１１０：Ｎｏ）、ＣＰＵ２１０は、この合成画像プリント処理を終了する。このような処理は、画像データ２８４，２８８の組合せを適切に決定することができないことに基づくものである。一方、個数（Ｎ）と個数（ｎ）とが一致する場合（Ｓ１１０：Ｙｅｓ）、ＣＰＵ２１０は、処理をＳ１１４に移行する。
【００３９】
Ｓ１１４でＣＰＵ２１０は、ＲＡＭ２３０の所定の領域のｉ番目に記憶されている画像データ２８４と、他の領域のｉ番目に記憶されている画像データ２８８とを対象として、ｘ方向の画像サイズとｙ方向の画像サイズとが略一致しているかを判断する。例えば、ＣＰＵ２１０は、ＲＡＭ２３０の所定の領域の先頭部分に記憶されている画像データ２８４Ａと、他の領域の先頭部分に記憶されている画像データ２８８Ａとを対象として、「Ｘｂ≒Ｘａ」（図４参照）と「Ｙｂ≒Ｙａ」（図４参照）とが成立するかを判断する。判断の結果、いずれかの方向の画像サイズが異なる場合（Ｓ１１４：Ｎｏ）、ＣＰＵ２１０は処理をＳ１１６に移行する一方、略一致している場合（Ｓ１１４：Ｙｅｓ）、処理をＳ１１８に移行する。
【００４０】
なお、図４では、画像データ２８４は、運転免許証の表面を示すデータであって、画像データ２８８は運転免許証の裏面を示すデータであるため、両者の画像サイズは同一であり、このような場合、Ｓ１１４の判断は肯定される（Ｓ１１４：Ｙｅｓ）。例えば、画像データ２８４が運転免許証の表面で、画像データ２８８がパスポートである場合、Ｓ１１４の判断は否定される（Ｓ１１４：Ｎｏ）。
【００４１】
Ｓ１１６でＣＰＵ２１０は、Ｓ１０４で形成された画像データ２８８の画像サイズ（Ｘａ，Ｙａ）を、Ｓ１０２で形成された画像データ２８４の画像サイズ（Ｘｂ，Ｙｂ）に合わせるための拡大縮小処理を実行する。この場合、ｘ方向の拡縮率Ｋｘ（％）は、Ｋｘ＝Ｘｂ／Ｘａ×１００で、ｙ方向の拡縮率Ｋｙ（％）は、Ｋｙ＝Ｙｂ／Ｙａ×１００となる。ＣＰＵ２１０は、画像データ２８８を、ｘ方向にＫｘ（％）拡大または縮小し、ｙ方向にＫｙ（％）拡大または縮小し、画像データ２８４と同一の画像サイズ（Ｘｂ，Ｙｂ）のデータに、画像データ２８８を変換する（Ｘｂ，Ｙｂ）。ＣＰＵ２１０は、Ｓ１１６を実行した後、処理をＳ１１８に移行する。
【００４２】
Ｓ１１８でＣＰＵ２１０は、画像データ２８４のｘ方向のサイズＸｂの２倍のサイズと、この合成画像プリント処理の開始に先立ち、ユーザが設定した記録紙の有効プリント領域（余白部分を除いた領域）のｘ方向のプリント領域サイズ（PrintSizeX）との関係について比較する。具体的には、「サイズＸｂの２倍のサイズが記録紙のｘ方向のプリント領域サイズ以下（記録紙のｘ方向のプリント領域サイズがサイズＸｂの２倍のサイズ以上）であるかを比較（判断）する。例えば、ユーザが記録紙のサイズを「Ａ４」と設定していた場合、サイズＸｂの２倍のサイズが、Ａ４のｘ方向のサイズ２１０ｍｍからｘ方向の余白部分を除いたプリント領域サイズ以下であるかを判断する。そして、サイズＸｂの２倍のサイズが記録紙のｘ方向のプリント領域サイズ以下である場合（Ｓ１１８：Ｙｅｓ）、ＣＰＵ２１０は、処理をＳ１２０に移行する一方、サイズＸｂの２倍のサイズが記録紙のｘ方向のプリント領域サイズより大きい場合（Ｓ１１８：Ｎｏ）、処理をＳ１２４に移行する。
【００４３】
Ｓ１２０でＣＰＵ２１０は、画像データ２８４によって示される画像の外縁を形成するｙ方向のいずれかの辺と、画像データ２８８によって示される画像の外縁を形成するｙ方向のいずれかの辺とを、合成する基準の辺として特定する。そして、これら各辺が一致した一致状態または平行でかつ近接して隣り合った近接状態で、画像データ２８４と画像データ２８８とを合成した合成画像データ２９０を形成する。ここで、図４（ａ）左欄は、Ｓ１２０で形成される一致状態の合成画像データ２９０を示し、図４（ａ）右欄は、Ｓ１２０で形成される近接状態の合成画像データ２９０を示す。なお、近接状態とする場合、両画像間には僅かな隙間ｔが設定される（図４（ａ）右欄参照）。Ｓ１２２でＣＰＵ２１０は、画像データ２８４，２８８のｙ方向のサイズｙｂに所定のサイズのマージン（margin）を加算したサブレンジ（SubRange）を設定し、処理をＳ１３６に移行する。なお、マージンは、１枚の記録紙に複数の合成画像がプリントされる場合において、所定の方向に配置（配列）された合成画像それぞれの間隔を示すものである。サブレンジは、Ｓ１３６のプリント処理で利用される。
【００４４】
Ｓ１２４でＣＰＵ２１０は、画像データ２８４のｘ方向のサイズＸｂと、記録紙のｘ方向のプリント領域サイズとの関係について比較する。具体的には、「サイズＸｂが記録紙のｘ方向のプリント領域サイズ以下（記録紙のｘ方向のプリント領域サイズがサイズＸｂ以上）であるかを比較（判断）する。例えば、ユーザが記録紙のサイズを「Ａ４」と設定していた場合、サイズＸｂが、Ａ４のｘ方向のサイズ２１０ｍｍからｘ方向の余白部分を除いたプリント領域サイズ以下であるかを判断する。そして、サイズＸｂが記録紙のｘ方向のプリント領域サイズ以下である場合（Ｓ１２４：Ｙｅｓ）、ＣＰＵ２１０は、処理をＳ１２６に移行する一方、サイズＸｂが記録紙のｘ方向のプリント領域サイズより大きい場合（Ｓ１２４：Ｎｏ）、処理をＳ１３０に移行する。
【００４５】
Ｓ１２６でＣＰＵ２１０は、画像データ２８４，２８８のいずれか一方を１８０°回転する。そして、いずれか一方が回転された状態の画像データ２８４，２８８を対象として、画像データ２８４によって示される画像の外縁を形成するｘ方向のいずれかの辺と、画像データ２８８によって示される画像の外縁を形成するｘ方向のいずれかの辺とを、合成する基準の辺として特定する。そして、これら各辺が、一致した一致状態または平行でかつ近接して隣り合った近接状態で、画像データ２８４と画像データ２８８とを合成した合成画像データ２９０を形成する。ここで、図４（ｂ）左欄は、Ｓ１２６で形成される一致状態の合成画像データ２９０を示し、図４（ｂ）右欄は、Ｓ１２６で形成される近接状態の合成画像データ２９０を示す。なお、近接状態とする場合、図４（ａ）同様、両画像間には僅かな隙間ｔが設定される（図４（ｂ）右側欄参照）。図４（ｂ）に示す状態では、画像データ２８８が１８０°回転された状態を示している。Ｓ１２８でＣＰＵ２１０は、回転後の画像データ２８４，２８８のｙ方向のサイズｙｂの２倍のサイズに所定のサイズのマージンを加算したサブレンジを設定し、処理をＳ１３６に移行する。
【００４６】
Ｓ１３０でＣＰＵ２１０は、画像データ２８４のｘ方向のサイズＸｂと、記録紙の有効プリント領域のｙ方向のプリント領域サイズ（PrintSizeY）との関係について比較する。具体的には、「サイズＸｂが記録紙のｙ方向のプリント領域サイズ以下（記録紙のｙ方向のプリント領域サイズがサイズＸｂ以上）であるかを比較（判断）する。例えば、ユーザが記録紙のサイズを「Ａ４」と設定していた場合、サイズＸｂが、Ａ４のｙ方向のサイズ２９７ｍｍからｙ方向の余白部分を除いたプリント領域サイズ以下であるかを判断する。そして、サイズＸｂが記録紙のｙ方向のプリント領域サイズ以下である場合（Ｓ１３０：Ｙｅｓ）、ＣＰＵ２１０は、処理をＳ１３２に移行する一方、サイズＸｂが記録紙のｙ方向のプリント領域サイズより大きい場合（Ｓ１３０：Ｎｏ）、この合成画像プリント処理を終了する。
【００４７】
Ｓ１３２でＣＰＵ２１０は、画像データ２８４，２８８のいずれか一方を９０°回転（左回り）し、他方を２７０°（−９０°）回転（右回り）する。そして、回転後の画像データ２８４，２８８を対象として、画像データ２８４によって示される画像の外縁を形成するｙ方向のいずれかの辺と、画像データ２８８によって示される画像の外縁を形成するｙ方向のいずれかの辺とを、合成する基準の辺として特定する。そして、これら各辺が、一致した一致状態または平行でかつ近接して隣り合った近接状態で、画像データ２８４と画像データ２８８とを合成した合成画像データ２９０を形成する。ここで、図４（ｃ）左欄は、Ｓ１３２で形成される一致状態の合成画像データ２９０を示し、図４（ｃ）右欄は、Ｓ１３２で形成される近接状態の合成画像データ２９０を示す。なお、近接状態とする場合、図４（ａ）などと同様、両画像間には僅かな隙間ｔが設定される（図４（ｃ）右欄参照）。なお、図４（ｃ）に示す状態では、画像データ２８４が９０°回転（左回り方向）され、画像データ２８８が２７０°回転（左回り、右回りに−９０°）された状態を示している。Ｓ１３４でＣＰＵ２１０は、回転後の画像データ２８４，２８８のｘ方向のサイズｘｂに所定のサイズのマージンを加算したサブレンジを設定し、処理をＳ１３６に移行する。
【００４８】
Ｓ１３６でＣＰＵ２１０は、Ｓ１２０，Ｓ１２６またはＳ１３２のいずれかで形成した合成画像データ２９０を対象として、プリント処理を実行する。なお、プリント処理の詳細については、後述する。ここで、ＣＰＵ２１０は、Ｓ１１４〜Ｓ１３６の処理を、個数（Ｎ）（個数（ｎ））回分実行し、Ｎ個の合成画像データ２９０を形成する。例えば、ＲＡＭ２３０の所定の領域に画像データ２８４Ａ，２８４Ｂ，２８４Ｃが記憶され、他の所定の領域に画像データ２８８Ａ，２８８Ｂ，２８８Ｃが記憶されている場合、画像データ２８４Ａ，２８８Ａの組合せと、画像データ２８４Ｂ，２８８Ｂの組合せと、画像データ２８４Ｃ，２８８Ｃの組合せとを対象として、Ｓ１１４〜Ｓ１３６の処理を３回実行し、各組合せの合成画像データ２９０Ａ，２９０Ｂ，２９０Ｃをそれぞれ形成する。そして、ＣＰＵ２１０は、個数（Ｎ）回分実行した後、この合成画像プリント処理を終了する。
【００４９】
（プリント処理）
図２に示す合成画像プリント処理のＳ１３６で実行されるプリント処理について、図５を参照して説明する。このプリント処理を開始したＣＰＵ２１０は、トータルプリント（TotalPrint）に図２のＳ１２２，Ｓ１２８またはＳ１３４のいずれかで設定したサブレンジを加算し、加算後の値を新たなトータルプリントに設定する（Ｓ２００）。トータルプリントは、１回の合成画像プリント処理でプリントされたサイズ（記録紙の搬送方向のサイズ）を管理するためのファクタ（要素）である。図２に示す合成画像プリント処理のＳ１３６で、このプリント処理がはじめて実行される場合、トータルプリントには初期値として「０」が設定されており、ＣＰＵ２１０は、これにサブレンジを加算する。これに対し、２回目以降の場合、前回のプリント処理のＳ２００で設定されたトータルプリントの値が設定されており、ＣＰＵ２１０は、これにサブレンジを加算する。
【００５０】
Ｓ２０２でＣＰＵ２１０は、トータルプリントと、この合成画像プリント処理の開始に先立ち、ユーザが設定した記録紙のｙ方向のプリント領域サイズとの関係について判断する。具体的には、「記録紙のｙ方向のプリント領域サイズがトータルプリントより大きいか（トータルプリントが記録紙のｙ方向のプリント領域サイズより小さいか）」を判断する。判断の結果、記録紙のｙ方向のプリント領域サイズがトータルプリントより大きい場合（Ｓ２０２：Ｙｅｓ）、ＣＰＵ２１０は処理をＳ２０８に移行する。一方、記録紙のｙ方向のプリント領域サイズがトータルプリントより小さい場合（Ｓ２０２：Ｎｏ）、ＣＰＵ２１０は処理をＳ２０４に移行する。
【００５１】
Ｓ２０４でＣＰＵ２１０は、新たな記録紙をプリント部２５０に給紙する。そして、ＣＰＵ２１０は、トータルプリントを、図２のＳ１２２，Ｓ１２８またはＳ１３４のいずれかで設定したサブレンジとし（Ｓ２０６）、処理をＳ２０８に移行する。Ｓ２０８でＣＰＵ２１０は、プリント部２５０による、図２のＳ１２０，Ｓ１２６またはＳ１３２で形成された合成画像データ２９０のプリントを実行する。なお、Ｓ２０２の判断が肯定された場合（Ｓ２０２：Ｙｅｓ）、先に合成画像がプリントされた記録紙に、今回の合成画像データ２９０によって示される合成画像がプリントされる。
【００５２】
Ｓ２０８で記録紙には、図４（ａ）〜図４（ｃ）のいずれかの態様の合成画像データによって示される合成画像がプリントされる。ここで、記録紙にプリントされた合成画像は、直線部Ｇ１（一致状態）または直線部Ｇ２（近接状態）で２つ折りにした場合、画像データ２８４によって示される画像と、画像データ２８８によって示される画像の向きとが一致する。すなわち、画像の外縁で、この画像を切り取り、切り取った画像を直線部Ｇ１，Ｇ２で２つ折りにすると、図４（ａ）〜図４（ｃ）のいずれの場合も、両面の方向の関係が、実際の運転免許証と同一となる。すなわち、ＣＰＵ２１０は、図２のＳ１０６で画像データ２８４，２８８の上下方向を一致させた上で、図２のＳ１２０，Ｓ１２６，Ｓ１３２でこのような関係となる辺を特定して合成画像データ２９０を形成する。
【００５３】
（変形例）
本実施形態の構成は、次のようにすることもできる。
【００５４】
（１）上記では、プリント部２５０がインクジェット方式のプリント部である場合を例に説明した。しかし、プリント部２５０は、レーザ方式のプリント部とすることもできる。レーザ方式のプリント部とする場合において、複数の合成画像データ２９０が形成される場合（個数（Ｎ）が２以上の場合）、ＣＰＵ２１０は、ユーザによって設定された記録紙のサイズのプリント領域サイズに含めることができる分の合成画像データ２９０を形成し、形成された合成画像を対象として図５に示すプリント処理のＳ２０８を実行する。
【００５５】
（２）上記では、図２に示す合成画像プリント処理のＳ１０６で、文字認識を行い、これによって認識された文字の向きにしたがい、画像データ２８４，２８８に対して上下反転処理を実行した。ここで、文字を含まない画像については、所定の画像処理を実行し、上下が反転している画像データ２８４，２８８を対象として、上下反転処理を実行する構成とすることもできる。また、画像データ２８４，２８８によって示される画像それぞれの上下の向きを比較し、両者の上下の向きが異なる場合、画像データ２８４，２８８のいずれか一方に対して上下反転処理を実行する構成とすることもできる。
【００５６】
（３）上記では、図２に示す合成画像プリント処理のＳ１１６で、Ｓ１０４で形成された画像データ２８８の画像サイズ（Ｘａ，Ｙａ）（図３（ａ）参照）を、Ｓ１０２で形成された画像データ２８４の画像サイズ（Ｘｂ，Ｙｂ）（図３（ｂ）参照）に合わせるための拡大縮小処理を実行する構成を例に説明した。しかし、このような構成の他、Ｓ１０２で形成された画像データ２８４の画像サイズ（Ｘｂ，Ｙｂ）（図３（ｂ）参照）を、Ｓ１０４で形成された画像データ２８８の画像サイズ（Ｘａ，Ｙａ）（図３（ａ）参照）に合わせるようにしてもよい。この場合、ｘ方向の拡大縮小率（拡縮率）Ｋ’ｘ（％）は、Ｋ’ｘ＝Ｘａ／Ｘｂ×１００で、ｙ方向の拡縮率Ｋ’ｙ（％）は、Ｋ’ｙ＝Ｙａ／Ｙｂ×１００となる。ＣＰＵ２１０は、画像データ２８４を、ｘ方向にＫ’ｘ（％）拡大または縮小し、ｙ方向にＫ’ｙ（％）拡大または縮小し、画像データ２８８と同一の画像サイズ（Ｘａ，Ｙａ）のデータに、画像データ２８４を変換する。なお、この変形例（３）の構成による場合、図２のＳ１１８，Ｓ１２４，Ｓ１３０でＣＰＵ２１０は、画像データ２８８のｘ方向のサイズＸａに基づいた判断を実行する。
【００５７】
（４）上記では、画像形成装置２００のＣＰＵ２１０が、画像データ２８４，２８８の合成に係る処理（図２のＳ１０６〜Ｓ１３４参照）を実行する構成を例に説明した。しかし、このような構成の他、コンピュータ３００が、画像形成装置２００で形成された画像データ２８４，２８８を画像形成装置２００と通信して取得し、取得した画像データ２８４，２８８に対して、画像データ２８４，２８８の合成に係る処理（図２のＳ１０６〜Ｓ１３４参照）を実行して合成画像データ２９０を形成し、形成した合成画像データ２９０のプリントを、画像形成装置２００に指令する構成とすることもできる。この場合、ＣＰＵ３１０は、記憶部３４０に記憶されているコンピュータプログラム３４２を実行し、この処理を行う。画像形成装置２００のＣＰＵ２１０は、コンピュータ３００によって形成された合成画像データ２９０のプリント処理を実行し（図２のＳ１３６参照）、合成画像データ２９０によって示される合成画像を記録紙にプリントする。
【符号の説明】
【００５８】
２００  画像形成装置
２１０  ＣＰＵ
２２０  ＲＯＭ
２３０  ＲＡＭ
２４０  スキャナ部
２４２  載置台
２４４  読取センサ
２５０  プリント部
２８０，２８０Ａ，２８０Ｂ，２８０Ｃ  原稿
２８２，２８２Ａ，２８２Ｂ，２８２Ｃ  一方の面
２８４，２８４Ａ，２８４Ｂ，２８４Ｃ  画像データ
２８６，２８６Ａ，２８６Ｂ，２８６Ｃ  他方の面
２８８，２８８Ａ，２８８Ｂ，２８８Ｃ  画像データ
２９０  合成画像データ
３００  コンピュータ
【図１】
2011061635.tif 000003
【図２】
2011061635.tif 000004
【図５】
2011061635.tif 000005
【図３】
2011061635.tif 000006
【図４】
2011061635.tif 000007